(57)【要約】【課題】居住者の快適性欲求を満足させながら、省エネルギー性も維持する。【解決手段】変動幅Ｗ内における設定値ｔｓｐの増エネルギー方向の限界値をベース設定値ｔｓｐbaseとする。設定値ｔｓｐの変更が増エネルギー方向への変更であった場合、変更前の設定値ｔｓｐとベース設定値ｔｓｐbaseとの差Ｌ（Ｌ＝｜ｔｓｐ−ｔｓｐbase｜）と閾値Ｌｔｈとを比較し、差Ｌが閾値Ｌｔｈよりも小さい場合には、ベース設定値ｔｓｐbaseを設定値ｔｓｐの変更量Δｔｓｐ分だけ増エネルギー方向へ変更する。設定値ｔｓｐの変更が省エネルギー方向への変更であった場合、ベース設定値ｔｓｐbaseを設定値ｔｓｐの変更量Δｔｓｐ分だけ省エネルギー方向へ変更する。【選択図】  図５
2014240708.tif 000002
【特許請求の範囲】
【請求項１】
所定の変動幅内で変化している空調制御の設定値を居住者からの変更操作に応じて変更する設定値変更装置において、
前記居住者からの変更操作を受け付けて現在の前記設定値を変更する設定値変更手段と、
前記変動幅内における前記設定値の前記空調制御に必要なエネルギーが増える方向への限界値をベース設定値とし、前記設定値の変更が前記エネルギーが増える方向への変更であった場合、変更前の設定値と前記ベース設定値との差と閾値とを比較し、変更前の設定値とベース設定値との差が前記閾値よりも小さい場合には、前記ベース設定値を前記エネルギーが増える方向へ変更し、前記設定値の変更が前記エネルギーが減る方向への変更であった場合には、前記ベース設定値を前記エネルギーが減る方向へ変更するベース設定値変更手段と
を備えることを特徴とする制御設定値変更装置。
【請求項２】
請求項１に記載された制御設定値変更装置において、
前記ベース設定値変更手段は、
前記ベース設定値を変更する場合、前記ベース設定値を前記設定値の変更量分だけ変更する
ことを特徴とする制御設定値変更装置。
【請求項３】
請求項１又は２に記載された制御設定値変更装置において、
前記ベース設定値変更手段は、
前記設定値の変動幅を一定として前記ベース設定値を変更する
ことを特徴とする制御設定値変更装置。
【請求項４】
請求項１〜３の何れか１項に記載された制御設定値変更装置において、
前記変更された設定値を一定時間維持する設定値維持手段
を備えることを特徴とする制御設定値変更装置。
【請求項５】
請求項４に記載された制御設定値変更装置において、
前記ベース設定値変更手段は、
前記変更された設定値が一定時間維持された後に前記ベース設定値の変更を行う
ことを特徴とする制御設定値変更装置。
【請求項６】
所定の変動幅内で変化している空調制御の設定値を居住者からの変更操作に応じて変更する設定値変更方法において、
前記居住者からの変更操作を受け付けて現在の前記設定値を変更する設定値変更ステップと、
前記変動幅内における前記設定値の前記空調制御に必要なエネルギーが増える方向への限界値をベース設定値とし、前記設定値の変更が前記エネルギーが増える方向への変更であった場合、変更前の設定値と前記ベース設定値との差と予め定められた閾値とを比較し、変更前の設定値とベース設定値との差が閾値よりも小さい場合には、前記ベース設定値を前記エネルギーが増える方向へ変更し、前記設定値の変更が前記エネルギーが減る方向への変更であった場合には、前記ベース設定値を前記エネルギーが減る方向へ変更するベース設定値変更ステップと
を備えることを特徴とする制御設定値変更方法。
【請求項７】
請求項６に記載された制御設定値変更方法において、
前記ベース設定値変更ステップは、
前記ベース設定値を変更する場合、前記ベース設定値を前記設定値の変更量分だけ変更する
ことを特徴とする制御設定値変更方法。
【請求項８】
請求項６又は７に記載された制御設定値変更方法において、
前記ベース設定値変更ステップは、
前記設定値の変動幅を一定として前記ベース設定値を変更する
ことを特徴とする制御設定値変更方法。
【請求項９】
請求項６〜８の何れか１項に記載された制御設定値変更方法において、
前記変更された設定値を一定時間維持する設定値維持ステップ
を備えることを特徴とする制御設定値変更方法。
【請求項１０】
請求項９に記載された制御設定値変更方法において、
前記ベース設定値変更ステップは、
前記変更された設定値が一定時間維持された後に前記ベース設定値の変更を行う
ことを特徴とする制御設定値変更方法。
【発明の詳細な説明】
【技術分野】
【０００１】
この発明は、所定の変動幅内で変化している空調制御の設定値を居住者からの変更操作に応じて変更する制御設定値変更装置および方法に関するものである。
【背景技術】
【０００２】
従来より、居住空間の空気調和における快適性と省エネルギー性を両立させるために、１／ｆゆらぎなど所定の変動幅内で空調制御の設定値を変動させる機能を有する空気調和システムが用いられている（例えば、特許文献１，２，３参照）。
【先行技術文献】
【特許文献】
【０００３】
【特許文献１】特開平７−１３９７８７号公報
【特許文献２】特開２００８−２８１２４１号公報
【特許文献３】特開２０１２−２５１７３１号公報
【発明の概要】
【発明が解決しようとする課題】
【０００４】
しかしながら、このような空気調和システムの多くは、省エネルギーを優先とした場合には、居住者が不快に感じても設定値の変更を禁じることで快適性を犠牲にして居住者の我慢を強いるか、もしくは快適性を優先とする場合には、ゆらぎの基底値（前記変動幅内における設定値の空調制御に必要なエネルギーが増える方向の限界値）をエネルギーが増える方向へ変更することで、居住者に快適性を許容する代わりに省エネルギー性を断念する二者択一としている。
【０００５】
このように、従来の空気調和システムは、快適性と省エネルギー性の何れかを犠牲にしなければならず、快適性と省エネルギー性とをバランスよく満足させることができなかった。
【０００６】
本発明は、このような課題を解決するためになされたもので、その目的とするところは、居住者の快適性欲求を満足させながら、省エネルギー性も維持することが可能な制御設定値変更装置および方法を提供することにある。
【課題を解決するための手段】
【０００７】
このような目的を達成するために本発明は、所定の変動幅内で変化している空調制御の設定値を居住者からの変更操作に応じて変更する設定値変更装置において、居住者からの変更操作を受け付けて現在の設定値を変更する設定値変更手段と、変動幅内における設定値の空調制御に必要なエネルギーが増える方向（増エネルギー方向）への限界値をベース設定値とし、設定値の変更がエネルギーが増える方向への変更であった場合、変更前の設定値とベース設定値との差と閾値とを比較し、変更前の設定値とベース設定値との差が閾値よりも小さい場合には、ベース設定値をエネルギーが増える方向へ変更し、設定値の変更がエネルギーが減る方向（省エネルギー方向）への変更であった場合には、ベース設定値をエネルギーが減る方向へ変更するベース設定値変更手段とを備えることを特徴とする。
【０００８】
この発明によれば、居住者が変更操作を行うと、この変更操作が受け付けられて現在の設定値が変更される。この際、設定値の変更が増エネルギー方向への変更であった場合、変更前の設定値とベース設定値との差が閾値と比較され、変更前の設定値とベース設定値との差が閾値以上の場合にはベース設定値の変更は行われないが（省エネルギー性維持）、変更前の設定値とベース設定値との差が閾値よりも小さい場合には、ベース設定値が増エネルギー方向へ変更される（快適性尊重）。また、設定値の変更が省エネルギー方向への変更であった場合、ベース設定値が省エネルギー方向へ変更される（快適性尊重＋省エネルギー性増加）。
【発明の効果】
【０００９】
本発明によれば、設定値の変更が増エネルギー方向への変更であった場合、変更前の設定値とベース設定値との差と閾値とが比較され、変更前の設定値とベース設定値との差が閾値よりも小さい場合には、ベース設定値が増エネルギー方向へ変更され、設定値の変更が省エネルギー方向への変更であった場合には、ベース設定値が省エネルギー方向へ変更されるので、居住者が変更操作を行った時点での設定値（変更前の設定値）に応じて、居住者の快適性欲求を満足させながら、省エネルギー性も維持することが可能となる。
【００１０】
本発明は、従来よりもより細かい居住空間の単位でより居住者の好みに合った空気調和を行うことが可能な空調設備をもったオフィスビルでの利用が考えられる。オフィスにおける居住者は長時間にわたってほぼ固定された居住空間でデスクワークを行うことが多いため、周期的な設定値変動を行うことで作業効率の向上が見込めるため採用が期待できる。このとき、居住者の中には制御条件に満足できない人が出てくることが想定されるため、最小限の操作で快適性を提供しつつも、省エネルギー性を維持することの可能な本発明を利用することによる効果は大きい。
【図面の簡単な説明】
【００１１】
【図１】本発明に係る制御設定値変更装置の一実施の形態の要部を示す図である。
【図２】この制御設定値変更装置における設定値変動制御部による制御設定値の変動制御の基本イメージを示す図である。
【図３】制御設定値変更装置の各部の機能を説明するためのフローチャートである。
【図４】制御設定値の変更例１のイメージを示す図である。
【図５】制御設定値の変更例２のイメージを示す図である。
【図６】制御設定値の変更例３のイメージを示す図である。
【発明を実施するための形態】
【００１２】
以下、本発明を図面に基づいて詳細に説明する。図１は本発明に係る制御設定値変更装置の一実施の形態の要部を示す図である。
【００１３】
この制御設定値変更装置１００は、所定の変動幅内で空調制御の設定値（以下、制御設定値と呼ぶ）を変化させる設定値変動制御部１と、居住者からの変更操作を受け付けて設定値変動制御部１における現在の制御設定値を変更する設定値変更部２と、変更された制御設定値を一定時間維持する設定値維持部３と、制御設定値の変更が空調制御に必要なエネルギーが増える方向（増エネルギー方向）か減る方向（省エネルギー方向）であるかを判断してベース設定値（設定値変動制御部１が変化させる制御設定値の変動幅内における制御設定値の増エネルギー方向の限界値）を変更するベース設定値変更部４とを備えている。
【００１４】
この制御設定値変更装置１００は、プロセッサや記憶装置からなるハードウェアと、これらのハードウェアと協働して各種機能を実現させるプログラムとによって実現される。具体的には、コンピュータにプログラムがインストールされ、このインストールされたプログラムに従うＣＰＵの処理動作として実現される。
【００１５】
図２に設定値変動制御部１による制御設定値の変動制御の基本イメージを示す。なお、本実施の形態において、制御設定値は居住空間の室内温度の設定値であるとする。設定値変動制御部１は、制御設定値ｔｓｐを所定の変動幅内で変化させる。この例では、変動幅をＷとし、この変動幅Ｗ内でサインカーブを描くように、制御設定値ｔｓｐを変化させている。なお、図２中、Ｔは変動周期であり、Ｗが制御設定値ｔｓｐの振幅となる。
【００１６】
この制御設定値ｔｓｐの変動制御において、冷房の場合は、制御設定値（室内温度設定値）ｔｓｐの変動幅Ｗ内の下限値（最低値）がベース設定値ｔｓｐbaseとなる。暖房の場合は、制御設定値（室内温度設定値）ｔｓｐの変動幅Ｗ内の上限値（最高値）がベース設定値ｔｓｐbaseとなる。
【００１７】
ベース設定値変更部４は、設定値変動制御部１における制御設定値ｔｓｐの変更が増エネルギー方向（空調制御に必要なエネルギーが増える方向）への変更であった場合、変更前の制御設定値ｔｓｐとベース設定値ｔｓｐbaseとの差Ｌ（Ｌ＝｜ｔｓｐ−ｔｓｐbase｜）と閾値Ｌｔｈ（例えば、変動幅Ｗの５０％程度）とを比較し、その差Ｌが閾値Ｌｔｈよりも小さい場合には、制御設定値ｔｓｐの変動幅Ｗを一定として、ベース設定値ｔｓｐbaseを制御設定値ｔｓｐの変更量分だけ増エネルギー方向へ変更し、制御設定値ｔｓｐの変更が省エネルギー方向（空調制御に必要なエネルギーが減る方向）への変更であった場合、制御設定値ｔｓｐの変動幅Ｗを一定として、ベース設定値ｔｓｐbaseを制御設定値ｔｓｐの変更量分だけ省エネルギー方向へ変更する機能を有している。
【００１８】
このベース設定値変更部４の機能について、冷房の場合と、暖房の場合とに分けて説明する。
【００１９】
〔冷房の場合〕
ベース設定値変更部４は、冷房中、設定値変動制御部１における制御設定値ｔｓｐが低下する方向（増エネルギー方向）に変更された場合、変更前の制御設定値ｔｓｐとベース設定値ｔｓｐbaseとの差Ｌ（Ｌ＝｜ｔｓｐ−ｔｓｐbase｜）と閾値Ｌｔｈとを比較し、差Ｌが閾値Ｌｔｈよりも小さい場合には、制御設定値ｔｓｐの変動幅Ｗを一定として、ベース設定値ｔｓｐbaseを制御設定値ｔｓｐの変更量分だけ低下させる方向（増エネルギー方向）へ変更する。また、冷房中、設定値変動制御部１における制御設定値ｔｓｐが上昇する方向（省エネルギー方向）に変更された場合、制御設定値ｔｓｐの変動幅Ｗを一定として、ベース設定値ｔｓｐbaseを制御設定値ｔｓｐの変更量分だけ上昇させる方向（省エネルギー方向）へ変更する。なお、このベース設定値ｔｓｐbase変更は、設定値維持部３からの知らせを受けて、変更された制御設定値ｔｓｐが一定時間維持された後に行われる。
【００２０】
〔暖房の場合〕
ベース設定値変更部４は、暖房中、設定値変動制御部１における制御設定値ｔｓｐが上昇する方向（増エネルギー方向）に変更された場合、変更前の制御設定値ｔｓｐとベース設定値ｔｓｐbaseとの差Ｌ（Ｌ＝｜ｔｓｐ−ｔｓｐbase｜）と閾値Ｌｔｈとを比較し、差Ｌが閾値Ｌｔｈよりも小さい場合には、制御設定値ｔｓｐの変動幅Ｗを一定として、ベース設定値ｔｓｐbaseを制御設定値ｔｓｐの変更量分だけ上昇させる方向（増エネルギー方向）へ変更する。また、暖房中、設定値変動制御部１における制御設定値ｔｓｐが低下する方向（省エネルギー方向）に変更された場合、制御設定値ｔｓｐの変動幅Ｗを一定として、ベース設定値ｔｓｐbaseを制御設定値ｔｓｐの変更量分だけ低下させる方向（省エネルギー方向）へ変更する。なお、このベース設定値ｔｓｐbase変更は、設定値維持部３からの知らせを受けて、変更された制御設定値ｔｓｐが一定時間維持された後に行われる。
【００２１】
以下、冷房の場合を例にとり、制御設定値変更装置１００の各部の機能について、図３に示すフローチャートを参照しながら詳細に説明する。
【００２２】
〔制御設定値ｔｓｐをダウンさせる方向への変更〕
設定値変更部２は、居住者からの変更操作を受け付けて、居住者の変更操作が制御設定値ｔｓｐをダウンさせる方向への変更であった場合（ステップＳ１０１のＹＥＳ）、設定値変動制御部１における現在の制御設定値ｔｓｐを要求変更量分Δｔｓｐ（Δｔｓｐ＝｜変更前の制御設定値ｔｓｐ−変更後の制御設定値ｔｓｐ｜）だけ下げる（ステップＳ１０２）。
【００２３】
設定値維持部３は、設定値変更部２による制御設定値ｔｓｐの変更後（ステップＳ１０２）、一定時間Ｔｘの間、設定値変動制御部１における制御設定値ｔｓｐの変動を中断させる（ステップＳ１０３，Ｓ１０４の繰り返し）。これにより、設定値変動制御部１において、変更された制御設定値ｔｓｐが一定時間Ｔｘの間維持される。
【００２４】
居住者は、この変更後の制御設定値ｔｓｐの一定時間Ｔｘの維持により、一定時間Ｔｘの間、居住空間を自分が望む温度にすることができる。すなわち、一定時間Ｔｘの間は、制御設定値ｔｓｐの変動制御が行われないので、自分が望む温度よりも低くなったり、高くなったりすることがなく、居住空間の温度が所望の温度に保たれる。また、この場合、一定時間Ｔｘの間は、変動制御により制御設定値ｔｓｐが下げられることがないので、エネルギーの消費が抑えられる。
【００２５】
なお、この一定時間Ｔｘは、居住者の不快な状態を一時的になくすことができる時間として、また制御設定値ｔｓｐの変動制御に移ってもすぐには不快感を生じさせることのない時間として、居住空間に応じて定めるようにするとよい。
【００２６】
ベース設定値変更部４は、一定時間Ｔｘが経過すると（ステップＳ１０３のＹＥＳ）、設定値変更部２による制御設定値ｔｓｐの変更が増エネルギー方向への変更か省エネルギー方向への変更かを判断して、設定値変動制御部１におけるベース設定値ｔｓｐbaseを変更する。
【００２７】
この場合、ベース設定値変更部４は、外部からの居住空間における現在の冷暖房の状態を示すモード信号より、居住空間における現在の冷暖房の状態が冷房であることを判断する。なお、居住空間における現在の冷暖房の状態を示すモード信号は、居住空間の空調制御を行う空調コントローラ（図示せず）などからの信号として、ベース設定値変更部４へ与えられる。
【００２８】
そして、ベース設定値変更部４は、設定値変更部２によるダウン方向への制御設定値ｔｓｐの変更が増エネルギー方向であると判断し、その時の設定値変動制御部１における制御設定値ｔｓｐ（変更前の制御設定値ｔｓｐ）とベース設定値ｔｓｐbase（制御設定値ｔｓｐの変動幅Ｗの下限値）との差Ｌ（Ｌ＝｜ｔｓｐ−ｔｓｐbase｜）を求め、この差Ｌが閾値Ｌｔｈよりも小さいか否かを確認する（ステップＳ１０５）。
【００２９】
ここで、変更前の制御設定値ｔｓｐとベース設定値ｔｓｐbaseとの差Ｌが閾値Ｌｔｈよりも小さければ、すなわち制御設定値ｔｓｐのベース設定値ｔｓｐbaseとの距離が近ければ（ステップＳ１０５の「近い」）、ベース設定値ｔｓｐbaseを制御設定値ｔｓｐの要求変更量Δｔｓｐ分下げて（ステップＳ１０６）、制御設定値ｔｓｐの変動を再開する（ステップＳ１０７）。
【００３０】
なお、ステップＳ１０６では、制御設定値ｔｓｐの変動幅Ｗを広げるのではなく、制御設定値ｔｓｐの変動幅Ｗを一定として、ベース設定値ｔｓｐbaseを要求変更量Δｔｓｐ分下げる。
【００３１】
また、変更前の制御設定値ｔｓｐとベース設定値ｔｓｐbaseとの差Ｌが閾値Ｌｔｈ以上であれば、すなわち制御設定値ｔｓｐのベース設定値ｔｓｐbaseとの距離が遠ければ（ステップＳ１０５の「遠い」）、ベース設定値変更部４は、ベース設定値ｔｓｐbaseを変更せずに、制御設定値ｔｓｐの変動を再開する（ステップＳ１０７）。
【００３２】
〔制御設定値ｔｓｐをアップさせる方向への変更〕
設定値変更部２は、居住者からの変更操作を受け付けて、居住者の変更操作が制御設定値ｔｓｐをアップさせる方向への変更であった場合（ステップＳ１０８のＹＥＳ）、設定値変動制御部１における現在の制御設定値ｔｓｐを要求変更量分Δｔｓｐ（Δｔｓｐ＝｜変更前の制御設定値ｔｓｐ−変更後の制御設定値ｔｓｐ｜）だけ上げる（ステップＳ１０９）。
【００３３】
設定値維持部３は、設定値変更部２による制御設定値ｔｓｐの変更後（ステップＳ１０９）、一定時間Ｔｘの間、設定値変動制御部１における制御設定値ｔｓｐの変動を中断させる（ステップＳ１１０，Ｓ１１１の繰り返し）。これにより、設定値変動制御部１において、変更された制御設定値ｔｓｐが一定時間Ｔｘの間維持される。
【００３４】
ベース設定値変更部４は、一定時間Ｔｘが経過すると（ステップＳ１１０のＹＥＳ）、設定値変更部２による制御設定値ｔｓｐの変更が増エネルギー方向への変更か省エネルギー方向への変更かを判断して、設定値変動制御部１におけるベース設定値ｔｓｐbaseを変更する。
【００３５】
この場合、ベース設定値変更部４は、外部からのからの居住空間における現在の冷暖房の状態を示すモード信号より、居住空間における現在の冷暖房の状態が冷房であることを判断する。
【００３６】
そして、ベース設定値変更部４は、設定値変更部２によるアップ方向への制御設定値ｔｓｐの変更が省エネルギー方向であると判断し、ベース設定値ｔｓｐbaseを制御設定値ｔｓｐの要求変更量Δｔｓｐ分上げて（ステップＳ１１２）、制御設定値ｔｓｐの変動を再開する（ステップＳ１０７）。
【００３７】
〔制御設定値の変更例１：冷房中、制御設定値ｔｓｐをダウンさせる方向への変更、変更前の制御設定値ｔｓｐがベース設定値ｔｓｐbaseから遠い時〕
図４に、制御設定値の変更例１として、冷房中に制御設定値ｔｓｐをダウンさせる方向への変更があり、変更前の制御設定値ｔｓｐがベース設定値ｔｓｐbaseから遠い時のイメージを示す。
【００３８】
図４中、ｔ１点において、居住者が不快であると感じ、制御設定値ｔｓｐをダウンさせる方向（増エネルギー方向）への変更操作を行ったとする。この場合、居住者からの変更操作が受け付けられ、制御設定値ｔｓｐが要求変更量Δｔｓｐ分だけ下げられ、変更後の制御設定値ｔｓｐが一定時間Ｔｘの間維持される。
【００３９】
そして、一定時間Ｔｘの経過後（ｔ２点）、変更前の制御設定値ｔｓｐとベース設定値ｔｓｐbaseとの差Ｌ（｜Ｌ＝ｔｓｐ−ｔｓｐbase｜）と閾値Ｌｔｈとが比較される。この場合、変更前の制御設定値ｔｓｐとベース設定値ｔｓｐbaseとの差Ｌが閾値Ｌｔｈ以上あるので、制御設定値ｔｓｐのベース設定値ｔｓｐbaseとの距離が遠いと判断され、ベース設定値ｔｓｐbaseの変更は行われず、制御設定値ｔｓｐの変動制御が再開される。これにより、居住者が不快であると感じていても、その不快感はまだ小さいものとして、省エネルギー性が維持される。
【００４０】
〔制御設定値の変更例２：冷房中、制御設定値ｔｓｐをダウンさせる方向への変更、変更前の制御設定値ｔｓｐがベース設定値ｔｓｐbaseから近い時〕
図５に、制御設定値の変更例２として、冷房中に制御設定値ｔｓｐをダウンさせる方向への変更があり、変更前の制御設定値ｔｓｐがベース設定値ｔｓｐbaseから近い時のイメージを示す。
【００４１】
図５中、ｔ１点において、居住者が不快であると感じ、制御設定値ｔｓｐをダウンさせる方向（増エネルギー方向）への変更操作を行ったとする。この場合、居住者からの変更操作が受け付けられ、制御設定値ｔｓｐが要求変更量Δｔｓｐ分だけ下げられ、変更後の制御設定値ｔｓｐが一定時間Ｔｘの間維持される。
【００４２】
そして、一定時間Ｔｘの経過後（ｔ２点）、変更前の制御設定値ｔｓｐとベース設定値ｔｓｐbaseとの差Ｌ（Ｌ＝｜ｔｓｐ−ｔｓｐbase｜）と閾値Ｌｔｈとが比較される。この場合、変更前の制御設定値ｔｓｐとベース設定値ｔｓｐbaseとの差Ｌが閾値Ｌｔｈよりも小さいので、制御設定値ｔｓｐのベース設定値ｔｓｐbaseとの距離が近いと判断され、制御設定値ｔｓｐの変動幅Ｗを一定として、ベース設定値ｔｓｐbaseが制御設定値ｔｓｐの要求変更量Δｔｓｐ分下げられて、制御設定値ｔｓｐの変動制御が再開される。これにより、居住者が不快であると感じており、その不快感が大きいものとして、快適性が尊重される。
【００４３】
〔制御設定値の変更例３：冷房中、制御設定値ｔｓｐをアップさせる方向への変更〕
図６に、制御設定値の変更例３として、冷房中に制御設定値ｔｓｐをアップさせる方向への変更があった時のイメージを示す。
【００４４】
図６中、ｔ１点において、居住者が不快であると感じ、制御設定値ｔｓｐをアップさせる方向（省エネルギー方向）への変更操作を行ったとする。この場合、居住者からの変更操作が受け付けられ、制御設定値ｔｓｐが要求変更量Δｔｓｐ分だけ上げられ、変更後の制御設定値ｔｓｐが一定時間Ｔｘの間維持される。
【００４５】
そして、一定時間Ｔｘの経過後（ｔ２点）、制御設定値ｔｓｐの変動幅Ｗを一定として、ベース設定値ｔｓｐbaseが制御設定値ｔｓｐの要求変更量Δｔｓｐ分上げられて、制御設定値ｔｓｐの変動制御が再開される。これにより、快適性が尊重され、省エネルギー性も増加する。
【００４６】
なお、上述した実施の形態では、変更された制御設定値ｔｓｐを一定時間Ｔｘ維持した後にベース設定値ｔｓｐbaseの変更を行うようにしたが、制御設定値ｔｓｐが変更された時点でベース設定値ｔｓｐbaseの変更を行うようにしてもよく、一定時間Ｔｘが経過するまでの間の任意の時点でベース設定値ｔｓｐbaseの変更を行うようにしてもよい。
【００４７】
また、上述した実施の形態では、変更された制御設定値ｔｓｐを一定時間Ｔｘ維持させるようにしたが、変更された制御設定値ｔｓｐを一定時間Ｔｘ維持せずに、制御設定値ｔｓｐの変更後、その時点から制御設定値ｔｓｐの変動制御を再開させるようにしてもよい。この場合、制御設定値ｔｓｐの変更時点で、ベース設定値ｔｓｐbaseの変更を行うようにする。
【００４８】
また、上述した実施の形態では、ベース設定値ｔｓｐbaseを制御設定値ｔｓｐの変更量Δｔｓｐだけ変更するようにしたが、必ずしもベース設定値ｔｓｐbaseの変更量は制御設定値ｔｓｐの変更量Δｔｓｐでなくてもよい。
【００４９】
また、上述した実施の形態では、冷房の場合を例にとって説明したが、暖房の場合にも同様の動作が行われることは言うまでもない。
【００５０】
また、上述した実施の形態では、閾値Ｌｔｈを例えば変更幅Ｗの５０％程度としたが、省エネルギーと快適性のどちらかを取るかで、閾値Ｌｔｈを変更幅Ｗの３０〜７０％の範囲で振らせるようにすることも考えられる。
【００５１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５２】
１…設定値変動制御部、２…設定変更部、３…設定値維持部、４…ベース設定値変更部、１００…制御設定値変更装置。
【図１】
2014240708.tif 000003
【図２】
2014240708.tif 000004
【図３】
2014240708.tif 000005
【図４】
2014240708.tif 000006
【図５】
2014240708.tif 000007
【図６】
2014240708.tif 000008